(57)【要約】【課題】梁に容易に取り付けられ、かつ、梁の下方に耐火材を適切に配置することが可能なランナー固定部品を提供する。【解決手段】界壁１を構成するために用いられるランナー４を、梁３に対して固定するための下地金物１０であって、梁３の下端部のフランジ３ａの側方からフランジ３ａの側端部と係合することでフランジ３ａに保持される保持部１１と、保持部１１よりも下方位置にてランナー４が固定される固定部１２と、梁３の周囲を囲む耐火被覆材５のうち、フランジ３ａの下方に回り込む部分をフランジ３ａの下面に沿って通すための空間が、保持部１１及び固定部１２の双方の間に形成されるように当該双方を連結する連結部１３と、を備える。【選択図】図１
2019065688.tif 000002
【特許請求の範囲】
【請求項１】
建物の仕切壁を構成するために用いられるランナーを、前記建物の梁に対して固定するためのランナー固定部品であって、
前記梁の下端部に設けられたフランジの側方から該フランジの側端部と係合することで前記フランジに保持される保持部と、
前記保持部よりも下方に位置し、前記ランナーが固定される固定部と、
前記梁の周囲を囲む耐火材のうち、前記フランジの下方に回り込む部分を前記フランジの下面に沿って通すための空間が、前記保持部及び前記固定部の双方の間に形成されるように当該双方を連結する連結部と、を備えることを特徴とするランナー固定部品。
【請求項２】
前記固定部は、薄板状の金属部材によって構成され、
前記固定部には前記ランナーの上端部がネジにて固定されることを特徴とする請求項１に記載のランナー固定部品。
【請求項３】
前記固定部には複数の前記ランナーが前記ランナー間に隙間を空けて並んだ状態で固定されていることを特徴とする請求項１又は２に記載のランナー固定部品。
【請求項４】
前記保持部は、底壁を有し、
前記連結部は、矩形形状をなしており、
前記底壁は、前記連結部の上端から前記連結部と直交するように張り出しており、
前記固定部は、前記連結部の下端から前記底壁が張り出している向きと同じ向きに張り出していることを特徴とする請求項１乃至３のいずれか一項に記載のランナー固定部品。
【請求項５】
前記底壁、前記連結部及び前記固定部は、一つの金属板によって構成されており、一体化していることを特徴とする請求項４に記載のランナー固定部品。
【請求項６】
前記保持部の両側端部の各々には側壁が設けられており、
該側壁は、前記フランジの前記側端部に引っ掛かるように折れ曲がっており、
前記保持部は、前記側壁の間に前記フランジを挟み込むことで前記フランジに保持されることを特徴とする請求項１乃至５のいずれか一項に記載のランナー固定部品。
【請求項７】
前記保持部は、前記側壁の間にバネ部を有しており、
前記保持部が前記フランジに保持されている間、前記バネ部が前記フランジの下面に当接して前記フランジを下側から付勢することを特徴とする請求項６に記載のランナー固定部品。
【請求項８】
前記空間内には、前記梁の周囲に巻き付けられる前記耐火材としての巻き付け耐火被覆材のうち、前記フランジの下方に回り込む部分が配置されることを特徴とする請求項１乃至７のいずれか一項に記載のランナー固定部品。
【請求項９】
前記固定部は、複数の前記ランナーを固定する際に、隣接する前記ランナーの間に隙間を確保するためのガイド部を備えることを特徴とする請求項１乃至８のいずれか一項に記載のランナー固定部品。
【請求項１０】
前記保持部、前記連結部及び前記固定部に、前記空間を囲むように形成された補強リブが形成されていることを特徴とする請求項１乃至９のいずれか一項に記載のランナー固定部品。
【発明の詳細な説明】
【技術分野】
【０００１】
本発明は、ランナー固定部品に係り、特に、建物の仕切壁を構成するために用いられるランナーを、建物の梁に対して固定するためのランナー固定部品に関する。
【背景技術】
【０００２】
集合住宅や長屋等の建物において住戸間を仕切るための仕切壁（界壁）を設ける場合、通常、仕切壁の構成部品であるランナーを梁の建物に対して固定する。また、ランナーを梁に対して固定する場合には、一般的に、下地金物のようなランナー固定部品を梁に取り付けてランナー固定部品を介して固定する。
【０００３】
また、仕切壁が設けられた建物において耐火性能を確保するために、梁周りに耐火材を配置することがある（例えば、特許文献１参照）。特許文献１では、梁の下側フランジに吊りボルトを締結し、吊りボルトの下端部に支持部材を取り付け、支持部材にランナーが支持固定されている。また、梁の下側フランジの下方には耐火材が配置されている。さらに、吊りボルトは、梁の下側フランジの下方に配置された耐火材よりも下方に突出しており、その突出部分において耐火材から離れた部分に支持部材が固定されている。
【先行技術文献】
【特許文献】
【０００４】
【特許文献１】特開２０１７−２５６４４号公報
【発明の概要】
【発明が解決しようとする課題】
【０００５】
建物内に仕切壁を設ける作業において梁の下側フランジにランナー固定部品を取り付ける際には、より簡単にランナー固定部品を取り付けることが求められる。また、仕切壁を設ける作業において梁周りに耐火材を配置する際には、ランナー固定部品が耐火材配置作業の妨げとならないようにする必要がある。
【０００６】
さらに、ランナー固定部品にランナーを取り付けた時点でランナー固定部品に対するランナーの位置（相対位置）が決められてしまうと、例えば、ランナー固定部品や梁の寸法に誤差が生じた場合に、ランナーが本来の設置位置に配置されなくなる虞がある。
【０００７】
そこで、本発明は、上記の課題に鑑みてなされたものであり、その目的とするところは、梁に容易に取り付けられ、かつ、梁の下方に耐火材を適切に配置することが可能なランナー固定部品を提供することである。
また、本発明の他の目的は、ランナーを正規の配置位置に精度よく配置することである。
【課題を解決するための手段】
【０００８】
前記課題は、本発明のランナー固定部品によれば、建物の仕切壁を構成する壁体を設置するために用いられるランナーを、前記建物の梁に対して固定するためのランナー固定部品であって、前記梁の下端部に設けられたフランジの側方から該フランジの側端部と係合することで前記フランジに保持される保持部と、前記保持部よりも下方に位置し、前記ランナーが固定される固定部と、前記梁の周囲を囲む耐火材のうち、前記フランジの下方に回り込む部分を前記フランジの下面に沿って通すための空間が、前記保持部及び前記固定部の双方の間に形成されるように当該双方を連結する連結部と、を備えることにより解決される。
【０００９】
上記のように構成された本発明のランナー固定部品は、梁の下端部に設けられたフランジの側方から該フランジの側端部と係合することでフランジに保持される保持部を有する。この保持部により、本発明のランナー固定部品は、簡単に梁に固定される。
また、本発明のランナー固定部品では、保持部よりも下方に位置する固定部にランナーが固定されており、保持部及び固定部が連結部によって連結されている。つまり、梁に固定される保持部と、ランナーが固定される固定部と、の間には空間が形成されている。そして、この空間内に、梁の周囲を囲む耐火材のうち、フランジの下方に回り込む部分が入り込み、フランジの下面に沿って通される。これにより、ランナー固定部品が梁に固定された状態のまま、梁の下方に耐火材を適切に配置することが可能となる。
【００１０】
また、上記のランナー固定部品に関して好適な構成を述べると、前記固定部は、薄板状の金属部材によって構成され、前記固定部には前記ランナーの上端部がネジにて固定されるとよい。
上記の構成では、固定部にランナーがネジ留めされることになる。かかる構成であれば、ランナー固定部品に対するランナーの位置（相対位置）を調整しながらランナーを固定することが可能となる。これにより、ランナー固定部品や梁の寸法に誤差が生じたり、これらの部材の配置位置がずれたりしたとしても、ランナーを本来の設置位置に精度よく配置することが可能となる。
【００１１】
また、上記のランナー固定部品に関してより好適な構成を述べると、前記固定部には複数の前記ランナーが前記ランナー間に隙間を空けて並んだ状態で固定されているとよい。
上記の構成では、固定部に複数（例えば、二つ）のランナーが隙間を空けて並んだ状態で固定されている。これにより、遮音性能を確保する上で必要な隙間を確保しつつ、各ランナーを固定部に固定することが可能となる。
【００１２】
また、上記のランナー固定部品に関してさらに好適な構成を述べると、前記保持部は、底壁を有し、前記連結部は、矩形形状をなしており、前記底壁は、前記連結部の上端から前記連結部と直交するように張り出しており、前記固定部は、前記連結部の下端から前記底壁が張り出している向きと同じ向きに張り出しているとよい。
上記の構成では、矩形状の連結部の上端から保持部の底壁が張り出しており、連結部の下端から固定部が保持部の底壁が張り出している向きと同じ向きに張り出している。つまり、保持部と固定部との間に形成された空間において、連結部が位置する側とは反対側の端と、連結部の側端と同じ側に位置する端と、が開口となっている。これにより、保持部と固定部との間の空間内に耐火材を配置する際には、上記の開口を通じて簡単に配置することが可能となる。
【００１３】
また、上記のランナー固定部品に関してより一層好適な構成を述べると、前記底壁、前記連結部及び前記固定部は、一つの金属板によって構成されており、一体化しているとよい。
上記の構成では、保持部の底壁、連結部及び固定部が一つの金属板によって構成されていて一体化しているのでランナー固定部品が簡素な構造となり、より取り扱い易くなる。
【００１４】
また、上記のランナー固定部品に関して一段と好適な構成を述べると、前記保持部の両側端部の各々には側壁が設けられており、該側壁は、前記フランジの前記側端部に引っ掛かるように折れ曲がっており、前記保持部は、前記側壁の間に前記フランジを挟み込むことで前記フランジに保持されるとよい。
上記の構成では、保持部の両側壁の各々がフランジの側端部に係合することで、保持部が側壁の間にフランジを挟み込むようになり、これにより、保持部がフランジに保持されるようになる。このような構成であれば、ランナー固定部品をワンタッチで簡単に梁のフランジに固定することが可能となる。
【００１５】
また、上記のランナー固定部品に関して尚一層好適な構成を述べると、前記保持部は、前記側壁の間にバネ部を有しており、前記保持部が前記フランジに保持されている間、前記バネ部が前記フランジの下面に当接して前記フランジを下側から付勢するとよい。
上記の構成では、保持部がフランジに保持されている間、バネ部の付勢力によってフランジが下側から付勢される。このような構成であれば、フランジの厚みに誤差が生じたとしても、その誤差を吸収して保持部をフランジに良好に保持させることが可能となる。
【００１６】
また、上記のランナー固定部品に関して益々好適な構成を述べると、前記空間内には、前記梁の周囲に巻き付けられる前記耐火材としての巻き付け耐火被覆材のうち、前記フランジの下方に回り込む部分が配置されるとよい。
上記の構成では、保持部と固定部との間の空間内に、耐火材としての巻き付け耐火被覆材が配置される。巻き付け耐火被覆材であれば、その形状を比較的自由に変えることができるため、上記空間内に耐火材を配置することが一段と簡単になる。
【００１７】
また、上記のランナー固定部品に関して好適な構成を述べると、前記固定部は、複数の前記ランナーを固定する際に、隣接する前記ランナーの間に隙間を確保するためのガイド部を備えるとよい。
上記の構成では、複数のランナーを固定部に固定する際、ガイド部を挟んで互いに反対の位置にランナーを固定することで、遮音性能を確保する上で必要な隙間を容易に確保することが可能となる。
【００１８】
また、上記のランナー固定部品に関して好適な構成を述べると、前記保持部、前記連結部及び前記固定部に、前記空間を囲むように形成された補強リブが形成されているとよい。
上記の構成では、保持部、連結部及び固定部に、耐火被覆材が配置される空間を囲むようにして補強リブが形成されており、ランナー固定部品の高さ方向及び前後方向における強度が高くなっている。したがって、複数のランナーを固定部に固定する際に、保持部、連結部及び固定部が湾曲して変形してしまうことを抑制することができる。また、作業者が、耐火被覆材を空間に押し込むようにして配置する際に、保持部、連結部及び固定部が湾曲して変形してしまうことを抑制することができる。
【発明の効果】
【００１９】
本発明のランナー固定部品によれば、梁に容易に固定でき、かつ、梁の下方に耐火材を適切に配置することが可能となる。
また、本発明のランナー固定部品によれば、ランナー固定部品に対するランナーの位置（相対位置）を調整しながらランナーを固定することができる。このため、ランナー固定部品や梁の寸法に誤差が生じたり、これらの部材の配置位置がずれたりしたとしても、ランナーを本来の設置位置に精度よく配置することが可能となる。
【図面の簡単な説明】
【００２０】
【図１】仕切壁及びその周辺の構成を示す図である。
【図２】本発明の一実施形態に係るランナー固定部品の正面図である。
【図３】本発明の一実施形態に係るランナー固定部品の側面図である。
【図４】本発明の一実施形態に係るランナー固定部品の上面図である。
【図５】耐火材配置後のランナー固定部品及びその周辺を側方から見た図である。
【図６】補助治具を示す図である。
【図７】補助治具が装着されたランナー固定部品を示す斜視図である。
【図８】変形例に係るランナー固定部品を示す斜視図である。
【図９】変形例に係るランナー固定部品の正面図である。
【図１０】変形例に係るランナー固定部品の側面図である。
【発明を実施するための形態】
【００２１】
以下、本発明の一実施形態（以下、本実施形態）に係るランナー固定部品について、その構成を説明する。なお、以下に説明する実施形態は、本発明の理解を容易にするための一例であり、本発明を限定するものではない。すなわち、本発明は、その趣旨を逸脱することなく、変更、改良され得る。また、当然ながら、本発明にはその等価物が含まれ得る。
【００２２】
また、以下の説明中、「厚み方向」とは、界壁１の厚み方向であり、梁３のウェブ３ｂの厚み方向と一致する。また、厚み方向における一端側を「表側」と呼ぶこととし、他端側を「裏側」と呼ぶこととする。また、以下において各部材の位置、姿勢及び状態について説明する際には、特に断る場合を除き、当該各部材が建物内の正規の設置位置に配置された状況を想定して説明することとする。
【００２３】
本実施形態に係るランナー固定部品について説明するにあたり、当該ランナー固定部品によって構築される界壁１及びその周辺の構成について図１を参照しながら説明する。図１は、界壁１及びその周辺の構成を示す図である。
【００２４】
界壁１は、集合住宅や長屋等の建物において住戸間を仕切る仕切壁である。界壁１は、図１に図示するように、スタッド２、ランナー４及び面材ボードＰによって構成されている。スタッド２は、上下方向に長く延びた鋼材であり、ランナー４の延出方向に沿って一定間隔毎に配置されている。また、スタッド２は、図１に示すように、厚み方向において二つのスタッド２がスタッド２間に隙間を設けた状態で並ぶように配置されている。また、厚み方向において並ぶ二つのスタッド２のうち、表側に位置するスタッド２の表側の端面に面材ボードＰが取り付けられており、同様に、裏側に位置するスタッド２の裏側の端面に面材ボードＰが取り付けられている。
【００２５】
各スタッド２は、図１に示すようにランナー４によって把持されている。ランナー４は、スタッド２を設置するために用いられるレール状の鋼材であり、具体的には断面コの字状の溝形鋼によって構成されている。より詳しく説明すると、ランナー４は、上壁と上壁の両側端から垂下した一対の垂下壁とを有し、一対の垂下壁の間にスタッド２の上端部が挟み込まれることでスタッド２を把持している。
【００２６】
また、ランナー４は、厚み方向において二つのランナー４がランナー４間に隙間を設けた状態で並ぶように配置されている。なお、厚み方向におけるスタッド２間の隙間及びランナー４間の隙間は、それぞれ、遮音上必要なサイズ（約１０ｍｍ）に設定されている。
【００２７】
界壁１の直上位置には、図１に示すように、Ｈ形鋼からなる梁３が配置されている。この梁３は、上階の床を構成する部材（具体的には、不図示の床パネル）を支持するための部材であり、水平に延出している。
【００２８】
梁３の周囲には、建物の耐火性能を確保するために耐火被覆材５が配置されている。この耐火被覆材５は、耐火材の一例であり、梁３の周囲に巻き付け可能な構成となっている。より詳しく説明すると、耐火被覆材５は、巻き付け耐火被覆材であり、具体的には、耐熱性ロックウールからなるフェルトと可撓性有機質表面材（たとえば不織布）との積層物である。耐火被覆材５は、図１に示すように、梁３の両脇及び梁３の下方を通るように略Ｕ字状に配置され、不図示の溶接ピンによって梁３等に留められている。
【００２９】
そして、梁３の下部には、本実施形態のランナー固定部品である下地金物１０が取り付けられている。この下地金物１０により、横並び状態にある二つのランナー４の各々は、その長手方向が梁３の延出方向に沿った状態で梁３に対して固定されることになる。
なお、下地金物１０は、梁３の延出方向に沿って一定間隔毎に複数配置され、それぞれの下地金物１０が梁３に取り付けられる。
【００３０】
次に、下地金物１０の構成について、図１並びに図２〜図５を参照しながら説明する。図２〜図４は、下地金物１０の外観を示す図であり、図２が正面図（前側から見た図）、図３が側面図、図４が上面図である。図５は、耐火被覆材５が配置された後の下地金物１０及びその周辺を側方から見た図である。
【００３１】
下地金物１０は、鋼板（金属板に相当）を加工することで構成されており、本実施形態では、厚み約０．５ｍｍの薄板によって構成されている。なお、下地金物１０の材質は、特に限定されるものではないが、本実施形態のように薄板状の金属部材が望ましい。
【００３２】
下地金物１０は、下地金物１０の高さ方向（上下方向）が鉛直方向に沿い、かつ、下地金物１０の横幅方向が厚み方向に沿い、さらに下地金物１０の前後方向が梁３の延出方向に沿うように梁３に取り付けられる。
【００３３】
下地金物１０は、図２〜図４に示すように、保持部１１、固定部１２及び連結部１３を有している。保持部１１は、下地金物１０の上側部分をなしており、図１に示すように、梁３の下端部に設けられたフランジ３ａ（以下、単にフランジ３ａ）に保持される。
【００３４】
より詳しく説明すると、保持部１１は、図２〜図４に示すように底壁１４と係合部１５とを有する。底壁１４は、保持部１１のベース部分であり、図４に示すように上面視で矩形状の薄板（鋼板）からなり、略水平に延出している。係合部１５は、フランジ３ａの側端部（厚み方向の端部）と係合可能な部分である。係合部１５は、図２及び図４に示すように、下地金物１０の横幅方向において対称的に一対配置されている。各係合部１５は、図２〜図４に示すように、締結部１６、立壁部１７、屈曲部１８及び板ばね部１９を有する。締結部１６、立壁部１７、屈曲部１８及び板ばね部１９は、一枚の鋼板を加工成形することで構成されており、一部品として一体化している。
【００３５】
係合部１５各部について説明すると、締結部１６は、底壁１４の上面に載せられ、締結リベットＲによって底壁１４に締結される部分である。また、図２及び図４に示すように、締結部１６は、下地金物１０の横幅方向において底壁１４の側端から若干はみ出た状態で底壁１４に締結されている。なお、締結部１６と底壁１４との締結方法については、締結リベットＲに限定されるものではなく、他の締結方法（例えば、接着剤による接着や溶接）を用いてもよい。
【００３６】
立壁部１７は、締結部１６の自由端部（下地金物１０の横幅方向において底壁１４の側端からはみ出た端部）から略垂直に立ち上がった部分である。立壁部１７の立ち上がり量（上下方向の長さ）は、フランジ３ａの厚みよりも若干大きくなっている。
【００３７】
屈曲部１８は、立壁部１７の上端から略垂直に曲がって下地金物１０の横幅方向内側に向かった後に略Ｖ字状に折り返されて下地金物１０の横幅方向外側に向かうように屈曲している。屈曲部１８のうち、下地金物１０の横幅方向内側に向かって延出した部分（すなわち、立壁部１７の上端と隣接する部分）は、図２に示すように締結部１６に沿っている。
【００３８】
板ばね部１９は、バネ部に相当し、下地金物１０の横幅方向における締結部１６の内側端（下地金物１０の横幅方向中央位置により近い方の端）から突出している。板ばね部１９は、斜め上方に向かって傾斜しており、その傾斜角度が変わるように弾性変形することが可能である。
なお、本実施形態では、図４に示すように、下地金物１０の前後方向において互いに離れた複数の箇所（具体的には、前後二箇所）に板ばね部１９が設けられている。
【００３９】
以上のように構成された保持部１１は、図１に示すように、厚み方向においてフランジ３ａの側方から該フランジ３ａの側端部と係合することで、フランジ３ａに保持される。具体的に説明すると、保持部１１の両側端部の各々には、係合部１５の立壁部１７及び屈曲部１８が設けられている。これらの部分（すなわち、立壁部１７及び屈曲部１８）は、保持部１１の側壁をなしている。そして、側壁をなす立壁部１７及び屈曲部１８は、フランジ３ａの側端部に引っ掛かるように折れ曲がっている。
【００４０】
また、下地金物１０の横幅方向における保持部１１の側壁間の間隔（厳密には、立壁部１７間の間隔）は、厚み方向におけるフランジ３ａの長さに略等しくなっている。このため、フランジ３ａを図１に示すように保持部１１の側壁の間に入れ込むと、保持部１１の側壁の折れ曲がり部分（具体的には、立壁部１７と屈曲部１８とが略直交した部分）がフランジ３ａの側端部に引っ掛かる。これにより、フランジ３ａが保持部１１の側壁間に挟み込まれる結果、保持部１１がフランジ３ａに保持されるようになる。このように本実施形態の下地金物１０は、保持部１１を上記の手順にてフランジ３ａに保持させることにより、ワンタッチでフランジ３ａに取り付けることが可能である。
【００４１】
なお、保持部１１がフランジ３ａに保持された状態では、各係合部１５の屈曲部１８がフランジ３ａの上面を上から押さえ付けている。また、保持部１１の側壁の間には、上述の板ばね部１９が配置されており、保持部１１がフランジ３ａに保持されている間、板ばね部１９がフランジ３ａの下面に当接してフランジ３ａを下側から付勢している。このように本実施形態では、保持部１１がフランジ３ａを側方から挟み込むと共に、上下方向においてもフランジ３ａを挟み込んでフランジ３ａに保持される。これにより、フランジ３ａの厚み（上下方向の長さ）に関して実際の寸法と設計寸法との間に誤差が生じたとしても、その誤差を吸収することができ、保持部１１を適切にフランジ３ａに保持させることが可能である。
【００４２】
固定部１２は、上下方向において保持部１１よりも下方に位置し、ランナー４が固定される部分である。固定部１２は、図２及び図３に示すように、薄厚（例えば、厚みが約０．５ｍｍ）の鋼板からなり、上面視で矩形形状をなしている。また、固定部１２は、図２及び図３に示すように、保持部１１の底壁１４に対して平行に並ぶように延出している。
【００４３】
固定部１２には、ランナー４の上端部がビスネジＢ（ネジの一例）によって固定される。このようにランナー４がビスネジＢによって固定部１２に固定されるため、固定部１２を含む下地金物１０に対するランナー４の位置（相対位置）を調整することができる。この結果、下地金物１０や梁３の寸法に誤差が生じたり、下地金物１０や梁３の設置位置が多少ずれたりしたとしても、これに影響されることなく、ランナー４を本来の設置位置に精度よく配置することが可能となる。
【００４４】
また、本実施形態では、図１に示すように、二つのランナー４が下地金物１０の横幅方向においてランナー４間に隙間を空けて並んだ状態で固定部１２に固定されることになっている。ここで、ランナー４間の隙間については、界壁１における遮音性能を確保するのに必要な量（約１０ｍｍ）に設定されている。すなわち、本実施形態では、遮音性能を確保するのに必要な隙間をランナー４間に確保した状態で各ランナー４が固定部１２に固定されている。
【００４５】
連結部１３は、保持部１１の底壁１４及び固定部１２の双方の間に空間Ｖに形成されるように当該双方を連結する部分である。ここで、空間Ｖとは、梁３の周囲を囲む耐火被覆材５のうち、フランジ３ａの下方に回り込む部分をフランジ３ａの下面に沿って通すための空間である。つまり、本実施形態では、図５に示すように、保持部１１の底壁１４と固定部１２との間に耐火被覆材５の配置スペースが形成されている。換言すると、本実施形態では、梁３のフランジ３ａに下地金物１０を取り付けた後であっても、下地金物１０が梁３周りに耐火被覆材５を配置するときの支障になることはなく、耐火被覆材５をフランジ３ａの下方に適切に回り込ませることが可能である。
【００４６】
連結部１３は、薄厚（例えば、厚みが約０．５ｍｍ）の鋼材からなり、正面視で矩形形状をなしている。また、連結部１３と保持部１１の底壁１４と固定部１２とは、図３に示すよう側面視でコの字をなすように連結している。すなわち、保持部１１の底壁１４は、連結部１３の上端から連結部１３と直交するように張り出しており、固定部１２は、連結部１３の下端から保持部１１の底壁１４が張り出している向きと同じ向きに張り出している。
【００４７】
なお、本実施形態では、保持部１１の底壁１４、連結部１３及び固定部１２が一つの鋼板（金属板）をコの字状に折り曲げることで構成されているため、これら三つの部分が一部品として一体化している。このため、本実施形態の下地金物１０は、簡素な構造となり、また、より取り扱い易いものとなっている。ただし、これに限定されるものではなく、保持部１１の底壁１４、連結部１３及び固定部１２が、元々は互いに別パーツからなり、下地金物１０を組み立てる際に各パーツを連結して一体化させてもよい。かかる場合、各パーツを構成する鋼板が十分に肉厚であればパーツ同士を溶接にて連結してもよい。
【００４８】
次に、上述した下地金物１０を用いて、梁３に対してランナー４を固定する手順について説明する。先ず、下地金物１０を用意し、梁３の下端部に設けられたフランジ３ａに、下地金物１０の保持部１１を下方から近付ける。そして、保持部１１の側壁の間にフランジ３ａを入れ込み、保持部１１の各側壁の折れ曲がり部分（具体的には、立壁部１７と屈曲部１８との交差部分）をフランジ３ａの側端部に引っ掛ける。これにより、保持部１１がフランジ３ａに保持され、この結果、下地金物１０が梁３に取り付けられる。
【００４９】
その後、下地金物１０の固定部１２にランナー４を固定する。より詳しく説明すると、下地金物１０の横幅方向において二つのランナー４をランナー４間に隙間が設けられるように並べ、各々のランナー４の上端部をビスネジＢによって固定部１２に固定する。このとき、固定部１２に連結された連結部１３が薄厚の鋼板によって構成されているため、そのままの状態でランナー４を固定部１２に固定しようとすると、連結部１３が湾曲してしまうことがある。こうした事態を回避するため、本実施形態では、ランナー固定作業時に図６に図示の補助治具１００を用いることになっている。図６は、補助治具１００の外観を示す図である。
【００５０】
補助治具１００は、略矩形状の木片からなる治具である。ただし、樹脂製の補助治具１００であってもよい。
また、図６に示すように、補助治具１００の長手方向一端部には、スリット１０１が形成されている。スリット１０１は、補助治具１００の短手方向一端から他端に向かって直線状に延びており、その延出方向長さは、固定部１２の前後方向長さと略等しくなっている。また、補助治具１００の長手方向において、スリット１０１の形成位置から、スリット１０１から離れている方の補助治具１００の端位置までの距離（図６中、記号ｄにて示す距離）は、下地金物１０における固定部１２と保持部１１の底壁１４との間隔と略等しくなっている。
さらに、補助治具１００の厚みは、固定部１２に横並び状態で固定される二つのランナー４の間の隙間の設計値（すなわち、遮音上必要となる隙間）と略等しくなっている。
【００５１】
本実施形態では、固定部１２にランナー４を固定するにあたり、上記の補助治具１００を図７に示すように下地金物１０に装着する。具体的に説明すると、補助治具１００のスリット１０１に固定部１２を差し込む。このとき、スリット１０１から離れている方の補助治具１００の端が上側に位置し、スリット１０１により近い方の補助治具１００の端が下側に位置するように補助治具１００を把持する。そして、補助治具１００の端面（小口面）が連結部１３に当接する位置までスリット１０１に固定部１２を差し込んだ時点で、補助治具１００の装着が完了する。
なお、図７は、補助治具１００が装着された下地金物１０を示す斜視図である。
【００５２】
補助治具１００が装着された下地金物１０では、固定部１２がスリット１０１の内壁面によって係止され、保持部１１の底壁１４が補助治具１００の上端面によって係止されるため、連結部１３の湾曲が規制されることになる。かかる状態でランナー４を固定部１２にビス留めすることにより、ランナー４を適切に固定部１２に固定することが可能となる。
【００５３】
また、補助治具１００の厚みが、固定部１２に固定される二つのランナー４の間の隙間の設計値と略等しくなっているため、二つのランナー４を固定部１２に固定する際、補助治具１００を挟んで互いに反対の位置にランナー４を固定することで、上記設計値に相当する隙間を容易に確保することが可能である。
【００５４】
ランナー４の固定が終了した後、補助治具１００を下地金物１０から取り外す。その後、梁３の周辺を囲むように耐火被覆材５を配置する。このとき、フランジ３ａの下方位置では、耐火被覆材５が、下地金物１０において保持部１１と固定部１２との間に形成された空間Ｖを通るように配置される。この結果、耐火被覆材５のうち、フランジ３ａの下方に回り込む部分が、厚み方向においてフランジ３ａの下面に沿って連続的に配置されるようになる。
【００５５】
なお、本実施形態では、上記空間Ｖにおいて、連結部１３が位置する側とは反対側（すなわち、下地金物１０の前端側）と、連結部１３の側端と同じ側（すなわち、下地金物１０の横幅方向における端側）に開口が形成されている。このような構成であれば、上記空間Ｖ内に耐火被覆材５を配置する際、作業者が上記の開口を通じて空間Ｖ内に手を入れ易くなっている。このため、空間Ｖに耐火被覆材５（厳密には、フランジ３ａの下方に回り込む耐火被覆材５）を簡単に配置することが可能となる。
【００５６】
＜変形例＞
以上までに本発明のランナー固定部品に関して、その構成及び利用方法についての一実施形態を例に挙げて説明してきたが、上述の実施形態は、あくまでも一例に過ぎず、他の例も考えられる。例えば、上記の実施形態では、下地金物１０の固定部１２にランナー４をビスネジＢによって固定することとしたが、これに限定されるものではなく、他の方法によって固定してもよい。具体例を挙げると、固定部１２の下面に突出形成された係合爪が、ランナー４の上端面に形成された係合孔に嵌め込むことでランナー４を固定部１２に固定してもよい。このような構成であれば、固定部１２にランナー４をワンタッチで固定することが可能となる。一方で、上記の実施形態のようにランナー４をビスネジＢによって固定部１２に固定する方が、下地金物１０に対するランナー４の位置（相対位置）を調整することができる点で好適である。
【００５７】
また、上記の実施形態では、下地金物１０を梁３に取り付けた後に、固定部１２にランナー４を固定してから、梁３の周りに耐火被覆材５を配置することとした。ただし、これに限定されるものではなく、下地金物１０を梁３に取り付けた後に、梁３の周りに耐火被覆材５を配置し、その後で固定部１２にランナー４を固定してもよい。
【００５８】
以下、図８乃至図１０を参照して、変形例に係るランナー固定部品である下地金物１０Ｘの構成について説明をする。図８は、下地金物１０Ｘの斜視図であり、図９は、下地金物１０Ｘの正面図、図１０は、下地金物１０Ｘの側面図である。なお、図９には、説明のために、二つのランナー４を示している。
【００５９】
（補強リブ）
図８乃至図１０に示すように、下地金物１０Ｘは、耐火被覆材５が配置される空間Ｖを形成する、固定部１２、連結部１３及び保持部１１の底壁１４を補強する補強リブが形成されている。
【００６０】
具体的には、下地金物１０Ｘの高さ方向（上下方向）及び前後方向における、固定部１２、連結部１３及び保持部１１の底壁１４の強度を高くするために、固定部１２、連結部１３及び保持部１１の底壁１４に、空間Ｖを囲むように形成されたコの字状の補強リブ１２ａ，１３ａ，１４ａがそれぞれ一対ずつ形成されている。
【００６１】
図８乃至図１０に示すように、固定部１２には、補強リブ１２ａが形成され、連結部１３には、補強リブ１３ａが形成され、保持部１１の底壁１４には、補強リブ１４ａが形成されている。各補強リブは、下地金物１０Ｘの横幅方向において、所定間隔離間して、対称的に一対配置されている。また、各補強リブ１２ａ，１３ａ，１４ａは、空間Ｖに向かう方向に突出して形成されている。
【００６２】
なお、下地金物１０Ｘは、鋼板（金属板に相当）を加工して二つ（二列）の補強リブを形成した後に、補強リブの突出方向が内側となるように、折り曲げ加工することで構成される。
【００６３】
変形例に係る下地金物１０Ｘでは、固定部１２、連結部１３及び保持部１１の底壁１４に、空間Ｖを囲むようにして補強リブ１２ａ，１３ａ，１４ａが形成されていることで、下地金物１０Ｘの高さ方向（上下方向）及び前後方向における強度が高くなっている。したがって、作業者が、ランナー４を固定部１２に固定する際に、下地金物１０Ｘに荷重が加わった場合であっても、固定部１２、連結部１３及び底壁１４が湾曲して変形してしまうことを抑制することができる。
【００６４】
耐火被覆材５は、例えば、耐熱性ロックウールからなるフェルトと可撓性有機質表面材との積層物であり、空間Ｖよりも厚いため、作業者は、耐火被覆材５を空間Ｖに押し込むようにして配置する。このとき、固定部１２には、下方に向かう方向に荷重がかかり、連結部１３には、後方に向かう方向に荷重がかかり、保持部１１の底壁１４には、上方に向かう方向に荷重がかかるため、下地金物１０Ｘに変形（湾曲）が生じてしまう可能性がある。
【００６５】
変形例に係る下地金物１０Ｘでは、上述した通り、補強リブ１２ａ、１３ａ，１４ａが形成されていることで、下地金物１０Ｘの高さ方向（上下方向）及び前後方向における強度が高くなっている。したがって、作業者が、耐火被覆材５を空間Ｖに押し込むようにして配置する際に、固定部１２、連結部１３及び底壁１４が湾曲して変形してしまうことを抑制することができる。
【００６６】
なお、補強リブ１２ａ，１３ａ，１４ａの数、サイズ、形状及び位置については、上記の変形例で示した例に限定されるものではなく、適宜変更してもよい。また、補強リブ１２ａ，補強リブ１３ａ，補強リブ１４ａのうち任意の１つ（例えば、補強リブ１４ａ）を省略したり、任意の２つ（例えば、補強リブ１３ａ及び補強リブ１４ａ）を省略したりすることも可能である。換言すると、固定部１２、連結部１３及び保持部１１の底壁１４の少なくとも１つに補強リブが形成されているようにすることも可能である。
【００６７】
（ガイド部）
また、図８乃至図１０に示すように、下地金物１０Ｘは、二つのランナー４を固定部１２に固定する際にガイドとして機能するガイド部１２ｃを備えている。
【００６８】
具体的には、図８に示すように、固定部１２の横幅方向における中央位置に切欠き１２ｂが設けられており、当該切欠き１２ｂと対応する位置において、連結部１３の下端部から下方へ延出する突起であるガイド部１２ｃが形成されている。下地金物１０Ｘを作製する際に、鋼板（金属板に相当）を打ち抜いて、折り曲げ加工することで、切欠き１２ｂ及びガイド部１２ｃが形成される。
【００６９】
図９に示すように、二つのランナー４を固定部１２に固定する際、ガイド部１２ｃを挟んで互いに反対の位置にランナー４を固定することで、隣接する二つのランナー４の間の隙間の設計値（すなわち、遮音上必要となる隙間）に相当する隙間を容易に確保することが可能となる。
【００７０】
なお、下地金物１０Ｘの横幅方向におけるガイド部１２ｃの幅は、固定部１２に横並び状態で固定される二つのランナー４の間の隙間の設計値（例えば約１０ｍｍ）に合わせて設定されている。
【００７１】
また、下地金物１０Ｘの横幅方向におけるガイド部１２ｃの幅を、固定部１２に横並び状態で固定される二つのランナー４の間の隙間の設計値（例えば約１０ｍｍ）よりも若干小さく（例えば約８〜９ｍｍ）することも可能である。ガイド部１２ｃの幅を、ランナー４の間の隙間の設計値よりも若干小さくすることで、下地金物１０Ｘや梁３の寸法に誤差が生じたり、これらの部材の配置位置がずれたりしたとしても、二つのランナー４の位置を適宜調整することで、二つのランナー４の間の隙間を設計値に合わせることでランナーを本来の設置位置に精度よく配置することが可能となる。
【００７２】
変形例に係る下地金物１０Ｘでは、図７に示す別部材の補助治具１００を用いる必要がないため、補助治具１００を装着したり、取り外したりする手間を省略することができる。
【００７３】
上記の変形例では、ガイド部１２ｃは、下地金物１０Ｘを作製する際に、鋼板を打ち抜いて、折り曲げ加工することで形成されるおり、別部材を取り付ける必要がないため、好適である。なお、ガイド部１２ｃを別部材として形成して、溶接や接着によって固定部１２と連結部１３の間に取り付けることも可能である。
【００７４】
なお、ガイド部１２ｃの数、サイズ、形状及び位置については、上記の変形例で示した例に限定されるものではなく、適宜変更してもよい。例えば、固定部１２に、２以上のガイド部１２ｃを設けることも可能である。
【００７５】
以上、図８乃至図１０を参照して、変形例に係るランナー固定部品である下地金物１０Ｘについて説明をした。なお、下地金物１０Ｘは、補強リブ１２ａ，１３ａ，１４ａ及びガイド部１２ｃの両方を備えていたが、補強リブ１２ａ，１３ａ，１４ａ又はガイド部１２ｃの一方のみを備えるように構成することも可能である。
【符号の説明】
【００７６】
１  界壁（仕切壁）
２  スタッド
３  梁
３ａ  フランジ
３ｂ  ウェブ
４  ランナー
５  耐火被覆材（耐火材、巻き付け耐火被覆材）
１０，１０Ｘ  下地金物（ランナー固定部品）
１１  保持部
１２  固定部
１２ａ  補強リブ
１２ｂ  切欠き
１２ｃ  ガイド部
１３  連結部
１３ａ  補強リブ
１４  底壁
１４ａ  補強リブ
１５  係合部
１６  締結部
１７  立壁部（側壁）
１８  屈曲部（側壁）
１９  板ばね部（バネ部）
１００  補助治具
１０１  スリット
Ｂ  ビスネジ
Ｐ  面材ボード
Ｒ  締結リベット
Ｖ  空間
【図１】
2019065688.tif 000003
【図２】
2019065688.tif 000004
【図３】
2019065688.tif 000005
【図４】
2019065688.tif 000006
【図５】
2019065688.tif 000007
【図６】
2019065688.tif 000008
【図７】
2019065688.tif 000009
【図８】
2019065688.tif 000010
【図９】
2019065688.tif 000011
【図１０】
2019065688.tif 000012